Podtech/llm-jp-corpus-v4-ja_patent huggingface dataset:
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
充填用口部を有する容器を無菌的に充填するためのシステムで、
容器の充填用口部の上の膜、
容器の内側を滅菌用蒸気で充填するための手段、
容器の内側接触部分及び膜を滅菌するのに十分な時間だけ容器内に滅菌用蒸気を保持する該膜、
膜を除去しないで容器に製品を充填するための充填装置、その滅菌用蒸気は容器の充填前に膜を通して容器から放出されること、その滅菌用蒸気が製品に接触する充填装置の部分を滅菌すること、
膜を除去しないで容器にキャップを装着するためのキャップ装着機構、
から成るシステム。
【請求項２】
膜が、シリコンゴム、天然ゴム、ブタジエン、ニトリル、スルフォン系、イソプレン、ポリウレタン、バイトンから成るグループから選ばれた弾性体であることを特徴とする請求項１のシステム。
【請求項３】
バネ付き挿入材が充填装置上の在来の密封材料を置換え、かつ、充填機械の部分を挿入中に充填用口部に置かれた膜を保持することを特徴とする請求項１のシステム。
【請求項４】
膜が口部の面積の約１０％より大きく開口することを特徴とする請求項１のシステム。
【請求項５】
バネ付き挿入材が膜と関連して蒸気の密封をすることを特徴とする請求項３のシステム。
【請求項６】
さらに、充填装置へ、又、充填装置からのコンベヤ及び充填のための手段を含み、かつ、そのコンベヤが、容器の外面を滅菌するための滅菌用蒸気を囲っているカバーに部分的又は全面的にはめ込まれていることを特徴とする請求項３のシステム。
【請求項７】
滅菌用蒸気が充填装置の漏出弁を通して排出されることを特徴とする請求項３のシステム。
【請求項８】
非滅菌充填ラインを滅菌充填ラインとするのに適合させる方法で、
容器の充填用口部に隣接して膜を配置すること、その膜が実質的に蒸気を浸透できなくする第一の状態及びその膜が長い部材を容器に挿入できるように動かされる第二の状態に配置されるように膜が構成されていること、
滅菌用媒体送出部材を設けること、第二の状態に配置するように膜を構成することにより、滅菌用媒体を容器の内側に充填するように、その滅菌用媒体送出部材を構成すること、
第一の状態に配置するように膜を構成し、それにより、その滅菌用媒体を実質的に容器内に保持すること、
膜の表面の部分に対して実質的に密封されるように充填弁を構成すること、
充填弁の構成は、膜を第二の状態に配置できる構成で、滅菌用媒体を容器から排出できること、及び、容器に製品を充填できること、
第二の弁を設けること、その第二の弁が容器から滅菌用媒体が流れるような構成になっていること、
から成る方法。
【請求項９】
滅菌用媒体が充填弁の少なくとも部分を通過して、それにより、充填弁の少なくとも部分を実質的に滅菌することを特徴とする請求項８の方法。
【請求項１０】
容器に滅菌用媒体を充填するステップが充填ラインの実質的に囲まれた部分の中で行なわれることを特徴とする請求項９の方法。
【請求項１１】
膜の表面の部分で実質的に密封をするように充填弁を構成するステップには面付き部材を充填弁に取付けて、その面付き部材が膜の一部と密封部を形成するように構成されたことを特徴とする請求項８の方法。
【請求項１２】
充填弁に面付き部材を取付けるステップには充填弁にバネ付き面部材を取付けることが含まれることを特徴とする請求項１１の方法。
【請求項１３】
第二の弁を設けるステップには容器から滅菌用媒体が流れるように構成するため漏出弁を設けることが含まれている請求項８の方法。
【請求項１４】
滅菌用媒体が瓶を出られるため、又、瓶に充填できるため膜を動かすように充填弁を構成するステップには、カラー部材を設けることが含まれ、そのカラー部材が第一の状態から膜の少なくとも部分を動かすように構成されていることを特徴とする請求項８の方法。
【請求項１５】
さらに、
容器を充填位置から非無菌環境のキャップ装着位置に運ぶこと、その容器のキャップ装着の前でその容器を運ぶ間に容器の内容物が微生物汚染を実質的に生じないこと、
から成る請求項８の方法。
【請求項１６】
さらに、
容器に滅菌用媒体を充填する位置から充填位置に容器を運ぶこと、その容器が運ばれている間はその容器の内部の滅菌用媒体で容器が実質的に密封されていること、
から成る請求項８の方法。
【請求項１７】
さらに、
以下の滅菌工程の少なくともひとつを用いて充填弁を滅菌すること：充填弁に紫外線照射を加えること、充填弁に蒸気を加えること、充填弁を高温水で洗浄すること、殺菌剤を含む浴中で充填弁を洗浄すること、
から成る請求項９の方法。
【請求項１８】
さらに、
カバーを設けること、そのカバーにより滅菌用媒体が充填弁の周囲を流れるように構成していること、
から成る請求項９の方法。
【請求項１９】
さらに、
膜の上にキャップを配置すること、それにより、キャップが膜上に配置された後で、その膜がキャップと一体になること、
から成る請求項８の方法。
【請求項２０】
容器が滅菌用蒸気で充填される位置と充填位置の間で容器が運ばれるとき、その滅菌用蒸気が容器内部に保持されることを特徴とする請求項１のシステム。
【請求項２１】
膜の材料が、シリコンゴム、天然ゴム、ブタジエン、ニトリル、スルフォン系、イソプレン、ポリウレタン、バイトンから成るグループから選ばれた弾性体であることを特徴とする請求項８の方法。
【請求項２２】
充填ステップ中に膜が充填用口部の面積の約１０％より大きく開口することを特徴とする請求項８の方法。
【請求項２３】
さらに、膜のセグメントと容器の内側との間の隙間を無くすことにより滅菌用蒸気の排出を加速するために、膜のセグメントを容器の内壁に密に押すステップを含むことを特徴とする請求項１４の方法。
【請求項２４】
さらに、膜を流体で濡らすステップを含み、その場合、濡れた膜が汚染物の侵入を防止する高い能力を有していることを特徴とする請求項８の方法。
【請求項２５】
その流体が殺菌剤及びその流体の粘度を高める増粘剤を含むことを特徴とする請求項８の方法。
【請求項２６】
さらに、容器を加熱するステップを含み、その場合、加熱が容器内のガスの内圧を高め、容器への汚染物侵入防止機能を高めることを特徴とする請求項８の方法。
【請求項２７】
さらに、キャップ装着ステップの前に膜の外面を滅菌するステップを含むことを特徴とする請求項８の方法。
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
疾患の症状または原因として、上昇したアルギナーゼを有する対象に対する治療剤を製造するための、ある量のL-アルギニンおよびある量のアルギナーゼインヒビターの使用であって、該治療剤は、対象におけるアルギニンのバイオアベイラビリティを増強するのに有効である、前記使用。
【請求項２】
対象は喘息である、請求項1記載の使用。
【請求項３】
対象は鎌状赤血球疾患を有する、請求項1記載の使用。
【請求項４】
対象は肺高血圧症を有する、請求項1記載の使用。
【請求項５】
アルギナーゼインヒビターは、N(ω)-ヒドロキシ-ノル-L-アルギニン(NOHA)、Nω-ヒドロキシ-ノル-L-アルギニン(ノル-NOHA)、2(S)-アミノ-6-ボロノヘキサン酸(ABH)、S-(+)-アミノ-6-ヨードアセトアミドヘキサン酸、S-(+)-アミノ-5-ヨードアセトアミドペンタン酸、L-ノルバリン、またはL-HOArgである、請求項1記載の使用。
【請求項６】
アルギナーゼインヒビターはNOHAである、請求項1記載の使用。
【請求項７】
治療剤が、ある量の一酸化窒素(NO)を更に含む、請求項1記載の使用。
【請求項８】
喘息を有するまたは喘息のリスクのある対象における喘息の症状の治療剤を製造するための、L-アルギニンの使用であって、該治療剤は、対象におけるアルギニンのバイオアベイラビリティを増強するのに有効である、前記使用。
【請求項９】
治療剤がマグネシウムを更に含む、請求項8記載の使用。
【請求項１０】
治療剤がアルギナーゼインヒビターを更に含む、請求項8記載の使用。
【請求項１１】
肺高血圧症を有するまたは肺高血圧症のリスクのある対象における肺高血圧症の治療剤を製造するための、L-アルギニンおよびアルギナーゼインヒビターの使用であって、該治療剤は、対象におけるアルギニンのバイオアベイラビリティを増強するのに有効である、前記使用。
【請求項１２】
対象は鎌状赤血球疾患を有する、請求項11記載の使用。
【請求項１３】
アルギナーゼインヒビターは、N(ω)-ヒドロキシ-ノル-L-アルギニン(NOHA)、Nω-ヒドロキシ-ノル-L-アルギニン(ノル-NOHA)、2(S)-アミノ-6-ボロノヘキサン酸(ABH)、S-(+)-アミノ-6-ヨードアセトアミドヘキサン酸、S-(+)-アミノ-5-ヨードアセトアミドペンタン酸、L-ノルバリン、またはL-HOArgである、請求項11または12記載の使用。
【請求項１４】
アルギナーゼインヒビターはNOHAである、請求項11または12記載の使用。
【請求項１５】
治療剤が、ある量の一酸化窒素(NO)を更に含む、請求項11または12記載の使用。
【請求項１６】
疾患の症状または原因として、低下した一酸化窒素バイオアベイラビリティを有する対象に対する治療剤を製造するための、ある量のL-アルギニンおよびある量のマグネシウムの使用であって、該治療剤は対象におけるアルギニンのバイオアベイラビリティを増強するのに有効である、前記使用。
【請求項１７】
対象は喘息である、請求項16記載の使用。
【請求項１８】
対象は鎌状赤血球疾患を有する、請求項16記載の使用。
【請求項１９】
対象は肺高血圧症を有する、請求項16記載の使用。
【請求項２０】
低下した一酸化窒素バイオアベイラビリティが、対象におけるアルギニンの減少の結果である、請求項16記載の使用。
【請求項２１】
L-アルギニン、アルギナーゼインヒビター、および薬学的に許容できる賦形剤を含む組成物。
【請求項２２】
L-アルギニンおよび薬学的に許容できるマグネシウム塩ならびに薬学的に許容できる賦形剤を含む組成物。
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
病的な眼の新脈管形成およびあらゆる関連する水腫を処置するための組成物であって、該組成物は、有効量の糖質コルチコイドおよび有効量の酢酸アネコルタブを含有する、組成物。
【請求項２】
請求項１に記載の組成物であって、前記糖質コルチコイドが、トリアムシノロンアセトニド、プレドニゾロン、酢酸プレドニゾロン、リメキソロン、フルオロメタロン、酢酸フルオロメタロン、および薬学的に受容可能なそれらの塩からなる群より選択される、組成物。
【請求項３】
請求項２に記載の組成物であって、前記糖質コルチコイドが、トリアムシノロンアセトニドである、組成物。
【請求項４】
請求項３に記載の組成物であって、該組成物中のトリアムシノロンアセトニドの濃度が、０．４％ｗ／ｖ〜２．０％ｗ／ｖである、組成物。
【請求項５】
請求項２に記載の組成物であって、前記糖質コルチコイドがリメキソロンである、組成物。
【請求項６】
請求項５に記載の組成物であって、該組成物中のリメキソロンの濃度が、０．１％ｗ／ｖ〜４．０％ｗ／ｖである、組成物。
【請求項７】
請求項２に記載の組成物であって、前記糖質コルチコイドが酢酸プレドニゾロンである、組成物。
【請求項８】
請求項７に記載の組成物であって、該組成物中の酢酸プレドニゾロンの濃度が、０．１％ｗ／ｖ〜２．０％ｗ／ｖである、組成物。
【請求項９】
請求項２に記載の組成物であって、前記糖質コルチコイドが酢酸フルオロメタロンである、組成物。
【請求項１０】
請求項９に記載の組成物であって、該組成物中の酢酸フルオロメタロンの濃度が、０．
１％ｗ／ｖ〜１．０％ｗ／ｖである、組成物。
【請求項１１】
請求項３に記載の組成物であって、該組成物中の酢酸アネコルタブの濃度が、０．１％ｗ／ｖ〜６％ｗ／ｖであり、かつ該組成物中のトリアムシノロンアセトニドの濃度が、０．５％ｗ／ｖ〜４．０％ｗ／ｖである、組成物。
【請求項１２】
請求項１１に記載の組成物であって、該組成物中の酢酸アネコルタブの濃度が、１％ｗ／ｖ〜３％ｗ／ｖである、組成物。
【請求項１３】
請求項１２に記載の組成物であって、該組成物中の酢酸アネコルタブの濃度が、３％ｗ／ｖである、組成物。
【請求項１４】
請求項１に記載の組成物であって、該組成物が、硝子体内注射、後強膜近傍送達、結膜下注射によってかもしくは移植されたデバイスを介した送達に適している、組成物。
【請求項１５】
請求項１４に記載の組成物であって、該組成物が、後強膜近傍注射による送達に適している、組成物。
【請求項１６】
請求項１４に記載の組成物であって、該組成物が、移植されたデバイスを介した送達に適している、組成物。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
有効成分を経口送達するための食用組成物であって、前記食用組成物が、乾燥流動性粉末の形態で、
（ａ）１〜１０重量％の有効成分と、
（ｂ）５〜４０重量％の非酸性脂質マトリックス組成物であって、前記マトリックス組成物が少なくとも１種類の脂肪酸、少なくとも１種類のモノグリセリド、およびリゾホスファチジルコリンを含む、前記脂質マトリックス組成物が脂質マトリックス１モル当たり４モル以下の水を含有するマトリックス組成物と、
（ｃ）１〜３０重量％の甘味料と、
（ｄ）２０〜８０重量％の穀粉と、
（ｅ）０〜１６重量％の湿潤剤と、
を含む組成物。
【請求項２】
前記有効成分がレチニドである請求項１に記載の組成物。
【請求項３】
前記レチニドがフェンレチニドである請求項２に記載の組成物。
【請求項４】
前記脂質マトリックス組成物が、（ｉ）１４〜２２個の炭素原子を有する少なくとも１種類の非エステル化脂肪酸と、（ｉｉ）グリセリンと１４〜２２個の炭素原子を有する脂肪酸とのモノエステルである少なくとも１種類のモノグリセリドと、（ｉｉｉ）脂肪酸部分が１４〜２２個の炭素原子を有するリゾホスファチジルコリンとを含み、前記脂肪酸およびモノグリセリドを合わせたものが前記脂質マトリックス組成物の７０モル％〜９９モル％を構成し、前記脂肪酸の前記モノグリセリドに対するモル比が２：１〜１：２であり、前記リゾホスファチジルコリンが前記脂質マトリックス組成物の１モル％〜３０モル％を構成する請求項１に記載の組成物。
【請求項５】
前記甘味料が、スクロース、デキストロース、フルクトース、マルトデキストリン、グルコース、タガトース、ラクトース、転化糖、マルトース、スクラロース、シクラミン酸ナトリウム、サッカリンナトリウム、およびアスパルテームからなる群より選択される請求項１に記載の組成物。
【請求項６】
前記穀粉が、米粉、ジャガイモ粉、トウモロコシ粉、マサ、タピオカ粉、そば粉、小麦粉、エンバク粉、マメ粉、大麦粉、ライ麦粉、キビ粉、モロコシ粉、クリ粉、およびそれらの混合物からなる群より選択される請求項１に記載の組成物。
【請求項７】
前記組成物が０．８５未満のａwを有する請求項１に記載の組成物。
【請求項８】
前記湿潤剤が、前記組成物中に少なくとも１重量％の量で含まれ、コーンシロップ、高フルクトースコーンシロップ、多価アルコール、ポリデキストロース、それらの組み合わせ、およびそれらの組み合わせからなる群より選択される請求項１に記載の組成物。
【請求項９】
前記脂質マトリックス組成物が、脂質マトリックス１モル当たり水３モル以下の量の水をさらに含む請求項１に記載の組成物。
【請求項１０】
（ａ）２〜６重量％のフェンレチニドと、
（ｂ）１０〜３０重量％の前記脂質マトリックス組成物と、
（ｃ）５〜３０重量％の前記甘味料と、
（ｄ）３０〜６０重量％の穀粉と、
を含む請求項１に記載の組成物。
【請求項１１】
請求項１に記載の組成物を食品担体と組み合わせを含む混合食品組成物。
【請求項１２】
前記食品担体が、液体大豆系栄養補給剤、オートミール、プディング、アイスクリーム、シャーベット、アップルソース、および果汁からなる群より選択される請求項１１に記載の混合食品組成物。
【請求項１３】
請求項１に記載の組成物から形成されるケーキ状食品。
【請求項１４】
ばら荷容器または単位用量容器中に包装されている請求項１に記載の組成物。
【請求項１５】
請求項１の組成物の製造方法であって、
有効成分を非酸性脂質マトリックス組成物と混合して粘稠流体を形成するステップであって、前記マトリックス組成物組成物が、少なくとも１種類の脂肪酸と、少なくとも１種類のモノグリセリドと、リゾホスファチジルコリンとを含み、前記脂質マトリックス組成物が脂質マトリックス１モル当たり４モル以下の水を含有するステップと、
請求項１に記載の流動性粉末組成物を得るのに十分な剪断応力を使用して、前記粘稠流体を甘味料および穀粉と混合するステップとを含む方法。
【請求項１６】
治療を必要とする被験者の高増殖性疾患を治療する方法であって、前記高増殖性疾患の治療に有効な量の請求項１に記載の組成物を前記被験者に供給するステップを含む方法。
【請求項１７】
前記供給ステップが、前記組成物を前記被験者に直接経口供給することによって行われる請求項１６に記載の方法。
【請求項１８】
前記供給ステップの前に、前記組成物を食品または飲料中に希釈するステップをさらに含む請求項１６に記載の方法。
【請求項１９】
前記食品または飲料が、液体大豆系栄養補給剤を含む請求項１８に記載の方法。
【請求項２０】
前記被験者が乳児または若年被験者である請求項１６に記載の方法。
【請求項２１】
前記被験者が老人被験者である請求項１６に記載の方法。
【請求項２２】
前記供給ステップが、胃、空腸、鼻−胃、または鼻−空腸の栄養管を介して前記組成物を前記被験者に供給することを含む請求項１６に記載の方法。
【請求項２３】
前記供給ステップが、（ｉ）前記乾燥粉末を液体と混合して液体組成物を得るステップと、続いて（ｉｉ）前記栄養管を介して前記液体組成物を前記被験者に送達するステップとによって実施される請求項２２に記載の方法。
【手続補正２】
【補正対象書類名】明細書
【補正対象項目名】発明の名称
【補正方法】変更
【補正の内容】
【発明の名称】改善されたバイオアベイラビリティを有する有効成分の経口組成物、およびその使用方法
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
個体における肺高血圧症を処置するための組成物であって、治療有効量のエストラジオール代謝産物を含む、組成物。
【請求項２】
前記エストラジオール代謝産物が、２−ヒドロキシエストラジオール、２−メトキシエストラジオール、４−ヒドロキシエストラジオールおよび４−メトキシエストラジオールからなる群より選択される、請求項１に記載の組成物。
【請求項３】
前記エストラジオール代謝産物のプロドラッグをさらに含む、請求項１に記載の組成物。
【請求項４】
前記組成物が、制御放出処方物を含む、請求項１に記載の組成物。
【請求項５】
肺高血圧症に罹患する個体を処置して、該個体における中心静脈圧を低下させるための組成物であって、治療有効量のエストラジオール代謝産物を含む、組成物。
【請求項６】
前記エストラジオール代謝産物が、２−ヒドロキシエストラジオール、２−メトキシエストラジオール、４−ヒドロキシエストラジオールおよび４−メトキシエストラジオールからなる群より選択される、請求項５に記載の組成物。
【請求項７】
前記エストラジオール代謝産物のプロドラッグをさらに含む、請求項５に記載の組成物。
【請求項８】
前記組成物が、制御放出処方物を含む、請求項５に記載の組成物。
【請求項９】
肺高血圧症に罹患する個体を処置して、該個体の心臓重量を減少させるための組成物であって、治療有効量のエストラジオール代謝産物を含む、組成物。
【請求項１０】
前記エストラジオール代謝産物が、２−ヒドロキシエストラジオール、２−メトキシエストラジオール、４−ヒドロキシエストラジオールおよび４−メトキシエストラジオールからなる群より選択される、請求項９に記載の組成物。
【請求項１１】
前記エストラジオール代謝産物のプロドラッグをさらに含む、請求項９に記載の組成物。
【請求項１２】
前記組成物が、制御放出処方物を含む、請求項９に記載の組成物。
【請求項１３】
肺高血圧症に罹患する個体を処置して、該個体の肺重量を減少させるための組成物であって、治療有効量のエストラジオール代謝産物を含む、組成物。
【請求項１４】
前記エストラジオール代謝産物が、２−ヒドロキシエストラジオール、２−メトキシエストラジオール、４−ヒドロキシエストラジオールおよび４−メトキシエストラジオールからなる群より選択される、請求項１３に記載の組成物。
【請求項１５】
前記エストラジオール代謝産物のプロドラッグをさらに含む、請求項１３に記載の組成物。
【請求項１６】
前記組成物が、制御放出処方物を含む、請求項１３に記載の組成物。
【請求項１７】
肺高血圧症に罹患する個体を処置して、該個体の右心室肥大を減少させるための組成物であって、治療有効量のエストラジオール代謝産物を含む、組成物。
【請求項１８】
前記エストラジオール代謝産物が、２−ヒドロキシエストラジオール、２−メトキシエストラジオール、４−ヒドロキシエストラジオールおよび４−メトキシエストラジオールからなる群より選択される、請求項１７に記載の組成物。
【請求項１９】
前記エストラジオール代謝産物のプロドラッグをさらに含む、請求項１７に記載の組成物。
【請求項２０】
前記組成物が、制御放出処方物を含む、請求項１７に記載の組成物。
【請求項２１】
肺高血圧症に罹患する個体を処置して、該個体の肺血管抵抗を減少させるための組成物であって、治療有効量のエストラジオール代謝産物を含む、組成物。
【請求項２２】
前記エストラジオール代謝産物が、２−ヒドロキシエストラジオール、２−メトキシエストラジオール、４−ヒドロキシエストラジオールおよび４−メトキシエストラジオールからなる群より選択される、請求項２１に記載の組成物。
【請求項２３】
前記エストラジオール代謝産物のプロドラッグをさらに含む、請求項２１に記載の組成物。
【請求項２４】
前記組成物が、制御放出処方物を含む、請求項２１に記載の組成物。
【請求項２５】
肺高血圧症に罹患する個体を処置して、該個体の肺の血管線維症を減少させるための組成物であって、治療有効量のエストラジオール代謝産物を含む、組成物。
【請求項２６】
前記エストラジオール代謝産物が、２−ヒドロキシエストラジオール、２−メトキシエストラジオール、４−ヒドロキシエストラジオールおよび４−メトキシエストラジオールからなる群より選択される、請求項２５に記載の組成物。
【請求項２７】
前記エストラジオール代謝産物のプロドラッグをさらに含む、請求項２５に記載の組成物。
【請求項２８】
前記組成物が、制御放出処方物を含む、請求項２５に記載の組成物。
【請求項２９】
個体における心不全を処置する組成物であって、治療有効量のエストラジオール代謝産物を含む、組成物。
【請求項３０】
前記エストラジオール代謝産物が、２−ヒドロキシエストラジオール、２−メトキシエストラジオール、４−ヒドロキシエストラジオールおよび４−メトキシエストラジオールからなる群より選択される、請求項２９に記載の組成物。
【請求項３１】
前記エストラジオール代謝産物のプロドラッグをさらに含む、請求項２９に記載の組成物。
【請求項３２】
前記組成物が、制御放出処方物を含む、請求項２９に記載の組成物。
【請求項３３】
肺高血圧症に罹患する個体を処置して、該個体の肺、心臓および肺動脈における、炎症、細胞増殖、脈管再構築および脈管内皮増殖因子の発現を減少させるための組成物であって、治療有効量のエストラジオール代謝産物を含む、組成物。
【請求項３４】
前記エストラジオール代謝産物が、２−ヒドロキシエストラジオール、２−メトキシエストラジオール、４−ヒドロキシエストラジオールおよび４−メトキシエストラジオールからなる群より選択される、請求項３３に記載の組成物。
【請求項３５】
前記エストラジオール代謝産物のプロドラッグをさらに含む、請求項３３に記載の組成物。
【請求項３６】
前記組成物が、制御放出処方物を含む、請求項３３に記載の組成物。
【手続補正書】
【提出日】平成18年12月15日(2006.12.15)
【手続補正１】
【補正対象書類名】明細書
【補正対象項目名】００１６
【補正方法】変更
【補正の内容】
【００１６】
で表されるジカルボン酸を使用するのが有利である。上記式中R2 は(C1-C40)-アルキレンブリッジ、好ましくは(C1-C10)-アルキレン、特に好ましくは(C1-C4)-アルキレンまたは (C2-C20)-アルケニレンブリッジ、好ましくは (C2-C6)-アルケニレン、特に好ましくは C2-アルケニレンを意味し、そして
Ｒは H; (C1-C20)-アルキル、好ましくは (C1-C6)-アルキル、特に好ましくは (C1-C2)-アルキル; (C2-C20)-アルケニル、好ましくは (C2-C6)-アルケニル; フェニル; ベンジル; ハロゲン; -NO2; (C1-C6)-アルコキシ; -CHO または -CO((C1-C6)-アルキル)よりなる群から選択される１種以上の残基である。式（II）中のR2 は直鎖状でも分岐していてもよい。式(II)には二量体化された脂肪酸、例えばプリポール酸（Pripol acids）も包含される。
【手続補正２】
【補正対象書類名】明細書
【補正対象項目名】００２１
【補正方法】変更
【補正の内容】
【００２１】
本発明の別の有利な一つの実施態様においては、農薬組成物は-SO3H,-SO3-X+,-PO3H2または-PO32-X+ 基を含有する式（Ｉ）で表される架橋したポリグリセリンエーテルを含有する。
【手続補正３】
【補正対象書類名】明細書
【補正対象項目名】００５９
【補正方法】変更
【補正の内容】
【００５９】
コポリマーV（ＰＧ−エステル、架橋済み）の製造：
１８０ｇ（０．２４３モル）のポリグリセリン（ｎ＝９．７）をＮ２−導入手段および水分離器を備えた攪拌式容器中に導入し、２４．７０ｇ（０．２１２モル）のヤシ油脂肪酸および１０．１３ｇのフタル酸（０．０６１モル）と混合する。次いでこの反応混合物を攪拌下に２２０℃に７時間加熱する。
ベンタゾン（Bentazone）実験：
ベンタゾンのナトリウム塩を４８０ｇ／Ｌの濃度の水溶液として適用する。適用の際の散布量は６０ｇのａｉ／ｈａである。混合物を通常の アカザ[lambsquarter(CHEAL)] およびソバカズラ(POLCO)種の植物に適用する。補助剤は０．２５％の濃度で適用溶液に添加する。活性は蛍光測定法によって測定し、その際にファクターＦpc は光合成活性の目安である。植物の撲滅はＦpc値の低下に関連しており、それは１００から出発して０で終わる。
表２：１ＤＡＴ後（ＤＡＴ：処理後１日）および６０ｇ／ｈａのベンタゾンのナトリウム塩の除草効果(CHEAL, POLCO) へのコポリマーI〜IIIの影響
2006518349.tif 000001
【手続補正書】
【提出日】平成19年2月8日(2007.2.8)
【手続補正１】
【補正対象書類名】特許請求の範囲
【補正対象項目名】請求項２４
【補正方法】変更
【補正の内容】
【請求項２４】
前記ランルールエバリュエーションは、スプレッドシートを使用して指定される請求項２３に記載の方法。
【手続補正２】
【補正対象書類名】特許請求の範囲
【補正対象項目名】請求項２５
【補正方法】変更
【補正の内容】
【請求項２５】
前記ランルールエバリュエーションは、ＧＵＩを使用して指定される請求項２３に記載の方法。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
コントローラと、前記コントローラに結合され、動作ロジックの一タイプを用いたフロント・パネル・キーボードとを備えるテレビジョン装置であって、
前記コントローラが前記フロント・パネル・キーボードの動作ロジックのタイプを検出し、前記フロント・パネル・キーボードの検出された動作ロジックのタイプに従って前記フロント・パネル・キーボードにキーボード動作電圧を印加する、前記テレビジョン装置。
【請求項２】
前記検出された動作ロジックのタイプがネガティブである場合、前記コントローラは、前記フロント・パネル・キーボードに前記キーボード動作電圧を印加し、
前記検出された動作ロジックのタイプがポジティブである場合、前記コントローラは、前記フロント・パネル・キーボードに前記キーボード動作電圧を印加しない、請求項１記載のテレビジョン装置。
【請求項３】
前記フロント・パネル・キーボードがライトを備え、前記ライトがライト制御ラインを介して前記コントローラに結合され、前記コントローラが前記ライト制御ラインを介して前記ライトにライト制御電圧を印加することによって前記ライトを点灯させる、請求項２記載のテレビジョン装置。
【請求項４】
前記コントローラが第１の制御ラインでのキーボード識別電圧を検出することによって動作ロジックのタイプを判定する、請求項３記載のテレビジョン装置。
【請求項５】
テレビジョン装置のフロント・パネル・キーボードであって、
前記テレビジョン装置のコントローラに結合されたキーボード感知ラインを共有する第１および第２のキーを備え、前記コントローラが当該２個のキーのうちの一方が作動したことを検出し、
前記コントローラからのキー駆動信号を反転する反転器を備え、前記コントローラがキー駆動信号を送信して作動信号が前記第１のキーおよび前記第２のキーのうちのいずれから来るのかを検出し、
前記第２のキーと前記反転されたキー駆動信号とからキー作動信号を生成するアンドゲートを備える、前記フロント・パネル・キーボード。
【請求項６】
キーボード感知ラインを共有する第１および第２のキーを有するフロント・パネル・キーボードを備えたテレビジョン装置におけるコントローラであって、
前記フロント・パネル・キーボードからのキー作動信号を受信してキーボード駆動信号に従って前記テレビジョン装置を制御するために、前記キーボード感知ラインに結合された第１の入力ドライバと、
前記キーボード感知ラインにキーボード動作電圧を印加する第１の出力ドライバと、
前記フロント・パネル・キーボード内のライトを点灯するためにライト制御信号を送信し、前記フロント・パネル・アレイからの識別電圧を検出する双方向ドライバとを備え、
前記識別電圧が検出されない場合には、前記コントローラは、前記第１の出力ドライバを介して前記キーボード感知ラインに前記キーボード動作電圧を印加し、
前記識別電圧が検出される場合には、前記キーボード感知ラインに前記キーボード動作電圧を印加しない、前記コントローラ。
【請求項７】
テレビジョン装置のフロント・パネル・キーボードの動作ロジックのタイプを検出する方法であって、
前記テレビジョン装置が前記フロント・パネル・キーボードからのキー作動信号を受信するコントローラを備え、
前記フロント・パネル・キーボードによって第１の制御ラインに印加される識別電圧を検出するステップと、
前記識別電圧が検出された場合には、前記フロント・パネル・キーボードの動作ロジックのタイプをポジティブであると判定し、キーボード制御ラインを介して前記フロント・パネル・キーボードにキーボード動作電圧を印加しないステップと、
前記識別電圧が検出されない場合には、前記フロント・パネル・キーボードの動作ロジックのタイプをネガティブであると判定し、前記キーボード感知ラインにキーボード制御電圧を印加するステップと、
前記フロント・パネル・キーボードからの前記キー作動信号を検出するステップと、
前記キーボードを走査してどのキーが作動したのかを判定するステップとを含む、前記方法。
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
燃料要素の燃焼度の相対的な量を測定する方法であって、
ａ）燃料要素６を原子炉から取り出して、測定位置１２に移送する手順と、
ｂ）その燃料要素６を、中性子束２に曝して、燃料要素内で核分裂を起こす手順と、
ｃ）第一の検出器１１が、この燃料要素から放出されるγ線の全体を検出する手順と、
ｄ）所定の第一の限界値を上回った場合、その燃料要素を再び原子炉に送り、この第一の限界値を下回った場合、その燃料要素に対して、ｅ）からｆ）の手順を続ける手順と、
ｅ）第二の検出器８が、その燃料要素から放出される、１ＭｅＶを超える高エネルギーのγ線を検出する手順と、
ｆ）所定の第二の限界値を上回った場合、その燃料要素を原子炉に送り、この第二の限界値を下回った場合、その燃料要素を、燃料要素の循環サイクルから取り出す手順と、
を有する方法。
【請求項２】
第二の検出器８が、当該の燃料要素から放出される、２ＭｅＶを超える高エネルギーのγ線を検出する請求項１に記載の方法。
【請求項３】
計数率が少なくとも１０7 ／秒、特に少なくとも１０8 ／秒である第二の検出器８を使用する請求項１又は２に記載の方法。
【請求項４】
第二の検出器８として、シンチレーション計数管を使用する請求項１から３までのいずれか一つに記載の方法。
【請求項５】
測定位置１２と検出器８の間に、シールドを配備する請求項１から４までのいずれか一つに記載の方法。
【請求項６】
測定位置１２と検出器８の間に、シールドとして鉛フィルターを配備する請求項５に記載の方法。
【請求項７】
第一の検出器１１が、燃料要素６のγ線を２秒以内で検出する請求項１から６までのいずれか一つに記載の方法。
【請求項８】
第二の検出器８が、燃料要素６の高エネルギーのγ線を３０秒以内、特に１０秒以内で検出する請求項１から７までのいずれか一つに記載の方法。
【請求項９】
測定位置において、燃料要素６が、水で取り囲まれている請求項１から８までのいずれか一つに記載の方法。
【請求項１０】
第一のγ線測定に関する第一の限界値を、原子炉の運転方式に適合した割合の燃料要素が、この限界値を下回るように規定する請求項１から９までのいずれか一つに記載の方法。
【請求項１１】
第一のγ線測定に関する第一の限界値を、原子炉の運転方式が１：１０の場合に、燃料要素の中の最大で２０％、特に最大で１５％が、この限界値を下回るように規定する請求項１から１０までのいずれか一つに記載の方法。
【請求項１２】
第二の測定に関する第二の限界値を、すべての測定した燃料要素の中の原子炉の運転方式に適合した割合の燃料要素が、この限界値を下回るように規定する請求項１から１１までのいずれか一つに記載の方法。
【請求項１３】
第二の測定に関する第二の限界値を、原子炉の運転方式が１：１０の場合に、すべての測定した燃料要素の中の最大で１５％、特に最大で１０％が、この限界値を下回るように規定する請求項１から１２までのいずれか一つに記載の方法。
【請求項１４】
請求項１から１３までのいずれか一つに記載の方法を実施する装置であって、
ａ）熱中性子束２を発生する中性子源と、
ｂ）測定対象の燃料要素を固定して、その燃料要素を熱中性子束に曝すための測定位置１２と、
ｃ）その燃料要素６から放出されるγ線の全体を測定することができる第一の検出器１１と、
ｄ）その燃料要素６から放出される、１ＭｅＶを超える高エネルギーのγ線を測定することができる第二の検出器８と、
を有する装置。
【請求項１５】
測定位置１２と第二の検出器８の間に、シールド１０を有する請求項１４に記載の装置。
【請求項１６】
シールド１０として、鉛フィルターを有する請求項１５に記載の装置。
【請求項１７】
第二の検出器８として、シンチレーション計数管を有する請求項１４から１６までのいずれか一つに記載の装置。
【請求項１８】
計数率が少なくとも１０7 ／秒、特に少なくとも１０8 ／秒である第二の検出器８を有する請求項１４から１７までのいずれか一つに記載の装置。
【請求項１９】
測定位置１２が、少なくとも部分的に水で取り囲まれている請求項１４から１８までのいずれか一つに記載の装置。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
中空のライトガイド（２）および光を一端（４）から前記ライトガイド（２）内に向けるように配置される光源（３、３ａ）を具備し、前記ライトガイド（２）は、その他端（５）に向かって前記ライトガイド（２）内の空間において光を伝搬させる導光壁を有し、前記ライトガイド（２）内の前記空間において、非透過型の鏡面反射体または狭散乱反射体または広散乱反射体として機能する少なくとも１個の湾曲反射面（３１〜３６）を有する少なくとも１個の光抽出素子（６１０〜６８０）をさらに具備し、前記湾曲反射面（３１〜３６）は、その面によって反射された前記光源からの光が前記ライトガイド（２）から出射するような角度で前記ライトガイド（２）の導光壁に当たるように形成される、ライトガイドシステム（１、１ａ）。
【請求項２】
前記ライトガイド（２）内の前記空間に配置され、前記ライトガイド（２）の長手部分に沿って互いに離れた複数の光抽出素子（６１０〜６８０）を有し、各光抽出素子（６１０〜６８０）は非透過型の鏡面反射体または狭散乱反射体または広散乱反射体として機能する少なくとも１個の湾曲光反射面（３１〜３６）を有し、前記湾曲光反射面（３１〜３６）が、その面により反射された前記光源（３、３ａ）からの光が前記ライトガイド（２）から出射するような角度で前記ライトガイド（２）の導光壁に当たるように形成される、請求項１に記載のライトガイドシステム（１、１ａ）。
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
１対の取外し式のテンプルと、１対のテンプル取付部を備えるレンズフレームを有するアイウェアであって、
各テンプル取付部は、枢回軸線を中心として枢回運動可能に前記レンズフレームに枢着されており、
前記テンプルは、前記枢回軸線を中心として、前記レンズフレームの近くに位置する折畳み形態と前記レンズフレームから突き出る使用形態との間を枢回し、
各取付部は、ソケット及びクリップ開口を提供するフレームクリップ部を有しており、
前記テンプルは、テンプルクリップ部を備える先端部を有しており、
各テンプルの前記テンプルクリップ部は、前記テンプルを前記フレームに取外し自在に取り付けるために前記ソケット内に取外し自在に係合するよう構成されており、
前記テンプルクリップ部は、前記取付部の前記開口内に係合する弾性変形可能なつめを有するバイオネットを含み、
前記つめは、ユーザーが前記つめを弾性的に変形させて前記つめを前記取付部の中に押し下げて前記テンプルの取外しを可能とするように、前記テンプルに対して略直角であり且つ前記枢回軸線に対して略直角である変形軸線を中心として弾性変形し、
各フレームクリップ部は関連の開口へと延びるスロットを含み、
各つめは、関連のスロットを通る突起部を含み、前記突起部は，ユーザが前記つめを押し下げて、前記ソケット内から前記バイオネットを離脱させるように前記つめを操作するのを助けるアイウェア。
【請求項２】
各バイオネットは、前記テンプルに対して略平行であり且つ前記変形軸線及び前記枢回軸線に対して略直角である所定方向への運動により、前記関連ソケットに挿入可能である請求項１に記載のアイウェア。
【請求項３】
各つめは、前記開口内に受け入れられると共に、前記テンプルを前記レンズフレームに固定すべく前記フレームクリップ部に係合する当接面を有しており、前記当接面は前記所定方向とは反対の方向に面している請求項２に記載のアイウェア。
【請求項４】
各当接面は、前記つめを前記取付部の中に押し下げることにより、関連のフレームクリップ部との係合から取り外される請求項３に記載のアイウェア。
【請求項５】
各突起部の幅は、各当接面の幅より小さい請求項４に記載のアイウェア。
【請求項６】
各テンプルは、前記スロット内に滑動自在に受け止められる隆起部を含む請求項５に記載のアイウェア。
【請求項７】
各フレームクリップ部は金属から形成されており、各テンプルクリップ部は弾性プラスチック材料から形成されている請求項６に記載のアイウェア。
【請求項８】
各テンプルクリップ部は、前記つめを変形させて各ソケットへ前記つめを挿入する傾斜面を含む請求項７に記載のアイウェア。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
レストラン環境でテーブルの占有および空きを追跡するためのシステムにおいて、
空きテーブル信号がスイッチの作動に応答して送信されるように構成された、無線送信器に結合したスイッチを備える複数のスイッチと送信器の組合せであって、各々が前記レストラン内の複数のテーブルの１つに設置されると共に単一の筺体に収容されて該テーブルの底面に結合される、複数のスイッチと送信器の組合せと、
前記レストラン内に設置され、前記スイッチと送信器の組合せによって送信される空きテーブル信号を受信するように構成された受信器を備えるホストコンピュータと、
を備え、ここに前記ホストコンピュータは、
前記レストラン内の前記複数のテーブルをグラフィック表示し、
各テーブルが利用可能か、満席か、またはすぐに利用可能になると予想されるかどうかをグラフィック表示し、そして
特定のテーブルが、閾値と比較したときの前記テーブルの占有期間に基づいて、すぐに利用可能になると予想されることを決定するようにプログラミングされるシステム。
【請求項２】
前記ホストコンピュータが、前記テーブルの占有期間が前記閾値を超える場合に、前記テーブルのグラフィック表示を変えるようにプログラミングされる請求項１に記載のシステム。
【請求項３】
前記スイッチは遠隔作動させられ、ここに前記システムは、該スイッチに物理的に接触することなく該スイッチを作動するように構成された遠隔作動デバイスを備える請求項１に記載のシステム。
【手続補正書】
【提出日】平成19年2月13日(2007.2.13)
【手続補正１】
【補正対象書類名】明細書
【補正対象項目名】発明の名称
【補正方法】変更
【補正の内容】
【発明の名称】摩擦嵌め設計の雄型医療装置用電気コネクタ
【手続補正２】
【補正対象書類名】明細書
【補正対象項目名】０００１
【補正方法】変更
【補正の内容】
【０００１】
関連出願
本出願は、２００３年２月１８日に出願の「汎用コネクタシステムの作成も可能な環状雄型コネクタの嵌合及び鎖錠方法」（Ａ  Ｍｅｔｈｏｄ  ｆｏｒ  Ｆｉｔｔｉｎｇ  ａｎｄ  Ｌａｔｃｈｉｎｇ  Ｃｉｒｃｕｌａｒ  Ｍａｌｅ  Ｃｏｎｎｅｃｔｏｒｓ  Ｗｈｉｃｈ  Ａｌｓｏ  Ｅｎａｂｌｅｓ  Ｃｒｅａｔｉｏｎ  ｏｆ  ａ  Ｕｎｉｖｅｒｓａｌ  Ｃｏｎｎｅｃｔｏｒ  Ｓｙｓｔｅｍ）と題する米国特許仮出願第６０／４４８５１７号の合衆国特許法第１１９条に基づく優先権の利益を主張するものである。
本発明は、医療装置用の電気コネクタに関するが、他のコネクタの応用例に使用可能である。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
１種以上のシリコーンゴムモノマー、
次式の枝分れアクリレートゴムモノマー
【化１】
2006518003.tif 000001
（式中、Ｒ1は水素並びにＣ1〜Ｃ8線状及び枝分れヒドロカルビル基から選択され、Ｒ2は枝分れＣ3〜Ｃ16ヒドロカルビル基である。）、
第１のグラフトリンクモノマー、
重合性アルケニル含有有機材料、及び
第２のグラフトリンクモノマー
から誘導された構造単位を含んでなるシリコーン−アクリレート耐衝撃性改良剤組成物。
【請求項２】
Ｒ1が水素であり、Ｒ2が４−メチルペンチル、４−メチルヘキシル、及び５−メチルヘキシルから選択される１種以上の枝分れヒドロカルビル基である、請求項１記載の耐衝撃性改良剤組成物。
【請求項３】
前記シリコーンゴムモノマーが、
次式の１種以上の環状シロキサンシリコーンゴムモノマー
【化２】
2006518003.tif 000002
（式中、Ｒ3及びＲ4は独立に水素並びにＣ1〜Ｃ10アルキル及びアリール基から選択され、「ｎ」は３〜２０の値を有する整数である。）と、
次の一般式のトリアルコキシシラン及びテトラアルコキシシラン
（Ｒ5）sＳｉ（ＯＲ6）4-s
（式中、Ｒ5は独立に水素並びにＣ1〜Ｃ10アルキル及びアリール基からなり、Ｒ6は独立にＣ1〜Ｃ4ヒドロカルビル基からなり、「ｓ」は０〜１の値を有する整数である。）から選択される１種以上と
を含んでなる、請求項１記載の耐衝撃性改良剤組成物。
【請求項４】
前記シリコーンゴムモノマーが、オクタメチルシクロテトラシロキサン、デカメチルシクロペンタシロキサン及びヘキサメチルシクロトリシロキサンから選択される１種以上と、テトラエトキシシランとを含んでなる、請求項１記載の耐衝撃性改良剤組成物。
【請求項５】
前記重合性アルケニル含有有機材料が、１種以上の芳香族ビニルモノマー、オレフィン性ニトリル並びに枝分れ及び非枝分れ（メタ）アクリレートモノマーからなる、請求項１記載の耐衝撃性改良剤組成物。
【請求項６】
前記第１のグラフトリンクモノマーが、（アクリルオキシ）アルコキシシラン、（メルカプトアルキル）アルコキシシラン、ビニルアルコキシシラン及びアリルアルコキシシランの１種以上からなる、請求項１記載の耐衝撃性改良剤組成物。
【請求項７】
前記第２のグラフトリンクモノマーが、１以上のアリル基を有する１種以上のポリエチレン性不飽和化合物である、請求項１記載の耐衝撃性改良剤組成物。
【請求項８】
オクタメチルシクロテトラシロキサン及びテトラエトキシシランからなるシリコーンゴムモノマー、
アクリル酸イソ−オクチル、アクリル酸６−メチルオクチル、アクリル酸７−メチルオクチル及びこれらの枝分れアクリレートゴムモノマーの組合せからなる群から選択される枝分れアクリレートゴムモノマー、
（γ−メタクリルオキシプロピル）（ジメトキシ）メチルシラン及び（３−メルカプトプロピル）トリメトキシシランからなる群から選択される１種以上の第１のグラフトリンクモノマー、
スチレン、α−メチルスチレン、アクリロニトリル、メタクリロニトリル、メタクリル酸メチルの１種以上からなる重合性アルケニル含有有機材料、並びに
メタクリル酸アリル、シアヌル酸トリアリル及びイソシアヌル酸トリアリルからなる群から選択される１種以上の第２のグラフトリンクモノマー
から誘導された構造単位を含んでなるシリコーン−アクリレート耐衝撃性改良剤組成物。
【請求項９】
ポリマー樹脂と請求項１乃至請求項８のいずれか１項記載のシリコーン−アクリレート耐衝撃性改良剤組成物とを含んでなる成形用組成物であって、当該成形用組成物が０〜−６０℃の延性−脆性転移温度を有する成形用組成物。
【請求項１０】
シリコーン−アクリレート耐衝撃性改良剤組成物の製造方法であって、
１種以上のシリコーンゴムモノマー及び第１のグラフトリンクモノマーを３０〜１１０℃の温度で乳化重合してシリコーンゴムラテックスを形成し、
上記シリコーンゴムラテックスに、４〜９．５のｐＨ及び２０〜９０℃の温度で、１種以上の枝分れアクリレートゴムモノマー及び第２のグラフトリンクモノマーを添加して、乳化重合したシリコーン−アクリレートゴムハイブリッドを含むラテックスを得、
上記シリコーン−アクリレートゴムハイブリッドに重合性アルケニル含有有機材料をグラフトしてグラフトシリコーン−アクリレートゴムハイブリッドラテックスを形成し、
前記グラフトシリコーン−アクリレートゴムハイブリッドラテックスを凝集させ、洗浄し、乾燥して前記シリコーン−アクリレートゴム耐衝撃性改良剤組成物を得る
ことを含んでなり、上記１種以上の枝分れアクリレートゴムモノマーが次式のものである、方法。
【化３】
2006518003.tif 000003
式中、Ｒ1は水素並びにＣ1〜Ｃ8線状及び枝分れヒドロカルビル基から選択され、Ｒ2は枝分れＣ3〜Ｃ16ヒドロカルビル基である。
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
ａ）第一表面と第二表面を有し、前記第一表面及び前記第二表面が実質的に平行である少なくとも一つの平面金属プレートを供給し、
ｂ）前記金属プレートの前記第一表面のみを平坦化することにより、金属ブランクを製造すること
を含み、かつ
前記金属プレートが、タンタル、銅、アルミニウム、チタン、ニオブ、コバルト、白金、銀、金又はそれらの合金を含む金属ブランクの製造方法。
【請求項２】
前記金属プレートは、タンタル又はニオブである、請求項１に記載の方法。
【請求項３】
請求項１に記載の方法により製造された前記金属ブランクの前記第一表面を機械加工してディスクとすることを含む、金属ディスクの製造方法。
【請求項４】
バッキングプレートに結合した金属ターゲットを備えたスパッターターゲットアセンブリの形成方法であって、
請求項３に記載の方法により製造された金属ディスクを含む金属スパッターターゲットを準備することと、
バッキングプレートを前記金属ディスクに結合させることと
を含み、かつ
前記バッキングプレートが、銅、銅合金、アルミニウム、アルミニウム合金、チタン若しくはチタン合金又はそれらの組み合わせを含む方法。
【請求項５】
前記金属ディスクが、タンタル又はニオブである、請求項４に記載の方法。
【請求項６】
バッキングプレートに結合した金属ターゲットを備えたスパッターターゲットアセンブリの形成方法であって、
請求項１に記載の方法により製造された金属ブランクを含む金属スパッターターゲットを準備することと、
バッキングプレートを前記金属ブランクに結合させることと
を含み、かつ
前記金属ブランクが、タンタル、銅、アルミニウム、チタン、ニオブ、コバルト、白金、銀、金及びそれらの合金を含む方法。
【請求項７】
前記金属ブランクが、タンタル又はニオブである、請求項６に記載の方法。
【請求項８】
前記金属プレートの一方の表面を機械加工することから本質的になり、かつ前記第一表面を平坦に機械加工して、平坦度を約０．００５インチ以下とする、請求項１に記載の方法。
【請求項９】
前記第二表面の平坦度が、約０．０７５インチ以下である、請求項１に記載の方法。
【請求項１０】
２つの実質的に平坦な表面を備えたスパッタリングターゲットであって、第一表面の平坦度が約０．００５インチ以下であり、第二表面の平坦度が約０．０７５インチ以下であり、かつスパッタリングターゲットがチタン、コバルト、アルミニウム、銅、タンタル、ニオブ、白金、金、銀、又はそれらの合金である、スパッタリングターゲット。
【請求項１１】
タンタル又はニオブである、請求項１０に記載のスパッタリングターゲット。
【請求項１２】
請求項６に記載の方法により製造されたスパッタリングターゲットアセンブリ。
【請求項１３】
前記金属ターゲットを、前記バッキングプレートに、接着材料によるか、はんだによるか、ろう付けによるか、拡散接合によるか、加圧嵌合によるか、ホットメルティングによるか、又は爆着により結合させる、請求項６に記載の方法。
【請求項１４】
前記金属ブランクの公称厚さ許容差が、前記プレートの圧延ゲージの少なくとも約５％である、請求項１に記載の方法。
【請求項１５】
前記金属スパッターターゲットと前記バッキングプレートとの間に中間層をさらに設けて前記バッキングプレートを結合させることを含む、請求項４に記載の方法。